(57)【特許請求の範囲】
【請求項１】
隔壁によって独立した独立空間毎に設けられ、第１基準周期毎に感知領域の保護客体を感知し、非活性化イベントと活性化イベントとを区分して示す信号体系であるアクティビティー信号を生成して第２基準周期毎に伝送する複数の感知センサと、
前記複数の感知センサからの信号を受信するモニタリング装置と、
ｎ（ｎは２以上の自然数）番目のモビリティー情報が生成されれば、１ないしｎ番目まで生成されたモビリティー情報に関する統計データを用いて前記保護客体の活動に対する基準指数情報を更新して生成する基準指数生成部と、
現時点のモビリティー情報または現時点を基準に以前の１以上ｍ（ｍは２以上の自然数）番目まで生成されたモビリティー情報に関する統計データを用いて生成される現在指数情報と前記基準指数情報との差を演算し、演算結果の大きさに応じて差等的な管理制御信号を生成する制御管理部と、
伝送された信号によって内部に保管された医薬品が外部に排出される排出周期または排出量を調節するディスペンサを含み、
前記モニタリング装置は、
前記複数の感知センサそれぞれから自分のＩＤ情報と前記アクティビティー信号を前記第２基準周期毎に受信する受信部と、
前記受信した複数のアクティビティー信号それぞれに含まれた非活性化イベント及び活性化イベントを示す信号体系のパーシングを通じて、前記保護客体が１つの独立空間から他の独立空間に移動した移動時間情報が含まれたモビリティー情報を生成するデータ生成部と、を含み、
前記制御管理部は、前記ディスペンサから排出される医薬品の排出周期または排出量が差等的に制御されるように、前記管理制御信号を前記ディスペンサに伝送することを特徴とする二元化されたパラメータを用いた保護客体管理システム。
【請求項２】
前記アクティビティー信号は、
基準温度差以上の温度変化の感知及び基準速度以上の保護客体速度の感知のうち一方のみが感知される非活性化イベントと両方が感知される活性化イベントとを区分して示す信号体系であることを特徴とする請求項１に記載の二元化されたパラメータを用いた保護客体管理システム。
【請求項３】
前記データ生成部は、
前記活性化イベントから前記非活性化イベントに又は前記非活性化イベントから前記活性化イベントに変化する信号体系が含まれた２つ以上のアクティビティー信号の対比を通じて前記モビリティー情報を生成することを特徴とする請求項２に記載の二元化されたパラメータを用いた保護客体管理システム。
【請求項４】
前記モニタリング装置は、前記複数の感知センサの位置情報が保存される位置情報保存部をさらに含み、
前記データ生成部は、前記複数の感知センサのＩＤ情報または位置情報を用いて前記保護客体が１つの独立空間から他の独立空間に移動した移動方向情報または移動距離情報をさらに生成し、前記生成した移動方向情報または移動距離情報がさらに含まれたモビリティー情報を生成することを特徴とする請求項３に記載の二元化されたパラメータを用いた保護客体管理システム。
【請求項５】
前記モニタリング装置は、前記独立空間と独立空間との間の出入りが行われる場所の位置情報であるポイント位置情報が保存される位置情報保存部をさらに含み、
前記データ生成部は、前記ポイント位置情報を用いて前記保護客体が１つの独立空間から他の独立空間に移動した移動方向情報または移動距離情報をさらに生成し、前記生成した移動方向情報または移動距離情報がさらに含まれたモビリティー情報を生成することを特徴とする請求項３に記載の二元化されたパラメータを用いた保護客体管理システム。
【発明の詳細な説明】
【技術分野】
【０００１】
本発明は、宅内保護客体の動き、活動などをモニタリングしてケアするシステムに関し、より詳しくは、宅内の隔壁などによる独立空間毎に区分して設けられるセンサの信号体系と、該信号体系の対比演算を通じて生成されるさらに他の形態の信号体系との両方に基盤した二元化されたパラメータを用いた保護客体管理システムに関する。
【背景技術】
【０００２】
現代社会への進入が加速化すると共に、家族構成に関するパラダイムの変化は勿論、医学の発達、食生活の向上などによる平均寿命の増加により高齢化社会への進入が速まっている。このような社会的現象の１つとして宅内で独居する人、特に独居する高齢者層が飛躍的に増加している。
【０００３】
このような独居老人層の急激な増加に対し、社会的な関心や効率的な解決のための多様な努力が集中されねばならないが、未だ該当地方自治体では現況調査などを行い、生活管理士が住居実態を把握して健康をチェックする程度にとどまっている。
【０００４】
しかし、このような努力は殆ど人力に依存する方式で行われるため、一貫的且つ体系的に管理できないだけでなく、リアルタイムモニタリングとそれによる迅速な後続措置などを実現し難く、管理が必要であるか又は管理を要請する独居老人や特定保護対象者全てを対象にして行うには根本的な問題点がある。
【０００５】
このような問題点をシステム的に解決するため幾つかの方法が開示されているが、このようなシステム的な解決策の殆どは宅内にセンサを設けて独居老人などの動きを感知し、感知結果に関する情報を生成して活用する方法で運用されている。
【０００６】
しかし、このような方法では宅内の特定空間（ふろ場、居間、トイレ、寝室など）に独居老人（保護客体）が位置しているか否かを個別化されたセンサのオン／オフ信号体系により感知しているだけであり、独居老人の全般的な活動量、活動範囲、移動距離などを総合してモニタリングし、その結果を用いて保護客体のための最適化された健康情報を生成して活用する方法としては根本的な問題点を有していると言える。
【０００７】
パーキンソン病を患っている人の場合、神経細胞を構成するニューロン及び神経伝達物質であるドーパミンの減少などによる急激な運動能力の低下を伴うが、この場合、運動能力の低下程度に応じて正確な容量の薬を服用しなければ病症を中長期的に管理することができない。
【０００８】
しかし、従来、経時的に極端な変化が起こり得る運動能力の低下程度に対し、単なる問診や極めて短時間の観察などのみに基づいて薬を処方し、相当期間後、再度問診、短期間の観察を行い薬を処方するという過程が繰り返されている。
【０００９】
この場合、一時的な患者の状態のみに基づいて特定期間に亘り定量の薬が処方及び投薬されるため、以後の患者の状態変化が反映できないまま薬が持続的に定量で投与され、患者の現在状態を基準に薬が過多または過小に投与される恐れがあり、それによって患者の状態がさらに悪化するという問題が頻繁に生じ得る。
【００１０】
このような問題を解決するため、患者が携帯するか又は患者の身体一部に付着する端末機を用いて患者の状態をモニタリングし、それに基づいて薬を処方する方法が用いられているが、該方法は患者の拒否感をもたらす恐れがあり、また、端末機の携帯又は着用、定期的な充電など患者自らの人為的な助力を要するため、実効性が極めて低いと言える。
【先行技術文献】
【特許文献】
【００１１】
【特許文献１】韓国登録特許第１０−１００６７９９号公報
【特許文献２】韓国公開特許第１０−２００８−００３５３６４号公報
【特許文献３】韓国公開特許第１０−２０１０−００７３０２８号公報
【発明の概要】
【発明が解決しようとする課題】
【００１２】
本発明は、上記問題点に鑑みてなされたものであり、患者の負担や拒否感を根本的に解消することはもちろん、患者の活動をより精密にモニタリングし、それを反映した指数情報を持続的に更新管理することで、独居老人または患者に対する最適化された後続ケアサービスを可能にする、二元化されたパラメータを用いた保護客体管理システムを提供することを目的とする。
【００１３】
また、本発明は、患者の挙動特性が強化するときは投薬量を減らすかまたは周期を長くし、患者の挙動特性が弱化するときは投薬量を増やすかまたは周期を短くすることで、患者の特性に応じて正確に投薬量が差等調節されるように構成し、患者の中長期的なケアに一層高い実効性を提供することを他の目的とする。
【課題を解決するための手段】
【００１４】
上記の課題を達成するため、本発明による二元化されたパラメータを用いた保護客体管理システムは、隔壁によって独立した独立空間毎に設けられ、第１基準周期毎に感知領域の保護客体を感知し、基準温度差以上の温度変化の感知及び基準速度以上の保護客体速度の感知のうち一方のみが感知される非活性化イベントと両方が感知される活性化イベントとを区分して示す信号体系であるアクティビティー信号を生成して第２基準周期毎に伝送する複数の感知センサ；及び前記複数の感知センサからの信号を受信するモニタリング装置を含み、前記モニタリング装置は、前記複数の感知センサそれぞれから自分のＩＤ情報と前記アクティビティー信号を前記第２基準周期毎に受信する受信部；及び前記受信した複数のアクティビティー信号それぞれに含まれた非活性化イベント及び活性化イベントを示す信号体系のパーシング（ｐａｒｓｉｎｇ）を通じて、前記保護客体が１つの独立空間から他の独立空間に移動した移動時間情報が含まれたモビリティー情報を生成するデータ生成部；を含むことができる。
【００１５】
ここで、前記データ生成部は、前記活性化イベントから前記非活性化イベントに又は前記非活性化イベントから前記活性化イベントに変化する信号体系が含まれた２つ以上のアクティビティー信号の対比を通じて前記モビリティー情報を生成することができる。
【００１６】
また、本発明は、前記複数の感知センサの位置情報が保存される位置情報保存部をさらに含むことができる。この場合、前記データ生成部は、前記複数の感知センサのＩＤ情報または位置情報を用いて前記保護客体が１つの独立空間から他の独立空間に移動した移動方向情報または移動距離情報をさらに生成し、前記生成した移動方向情報または移動距離情報がさらに含まれたモビリティー情報を生成することができる。
【００１７】
実施形態によって本発明は、前記独立空間と独立空間との間の出入りが行われる場所の位置情報であるポイント位置情報が保存される位置情報保存部をさらに含むことができる。この場合、前記データ生成部は、前記ポイント位置情報を用いて前記保護客体が１つの独立空間から他の独立空間に移動した移動方向情報または移動距離情報をさらに生成し、前記生成した移動方向情報または移動距離情報がさらに含まれたモビリティー情報を生成することができる。
【００１８】
望ましくは、本発明による二元化されたパラメータを用いた保護客体管理システムは、ｎ（ｎは２以上の自然数）番目のモビリティー情報が生成されれば、１ないしｎ番目まで生成されたモビリティー情報に関する統計データを用いて前記保護客体の活動に対する基準指数情報を更新して生成する基準指数生成部をさらに含むことができる。
【００１９】
また、本発明による二元化されたパラメータを用いた保護客体管理システムは、現時点のモビリティー情報または現時点を基準に以前の１以上ｍ（ｍは２以上の自然数）番目まで生成されたモビリティー情報に関する統計データを用いて生成される現在指数情報と前記基準指数情報との差を演算し、演算結果の大きさに応じて差等的な管理制御信号を生成する制御管理部をさらに含むことができる。
【００２０】
さらに、本発明は、伝送された信号によって内部に保管された医薬品が外部に排出される排出周期または排出量を調節するディスペンサをさらに含むことができる。この場合、前記制御管理部は、前記ディスペンサから排出される医薬品の排出周期または排出量が差等的に制御されるように、前記管理制御信号を前記ディスペンサに伝送することができる。
【００２１】
また、本発明は、伝送された信号によって駆動が制御される電子機器をさらに含むことができる。この場合、前記制御管理部は、前記電子機器のオンオフまたは駆動の程度が差等的に制御されるように、前記管理制御信号を前記電子機器に伝送することができる。
【発明の効果】
【００２２】
本発明による二元化されたパラメータを用いた保護客体管理システムは、患者の人為的な助力を全く要求しないため、保護客体（患者など）の挙動特性を分析してモニタリングするシステムを一層ユーザ志向に具現することができる。
【００２３】
また、本発明の望ましい実施例によれば、有機的に結合される二元化されたパラメータ体系を導入し、それを基盤に保護客体のモニティリングを一層精密且つ正確に具現することができる。
【００２４】
さらに、本発明の他の望ましい実施例によれば、患者の変化する現在状態情報に基づいて差等的な管理信号体系を生成し、それに応じて患者への投薬量や投薬周期などが自動に調整されるように構成することで、患者の現在状態に最適化された中長期的後続ケアシステムを具現することができる。
【図面の簡単な説明】
【００２５】
【図１】本発明の望ましい一実施例による管理システム及び関連構成を全般的に示した図である。
【図２】本発明の望ましい一実施例による管理システムの詳細構成を示したブロック図である。
【図３】本発明によるアクティビティー信号体系を生成する過程の望ましい一実施例を示したフロー図である。
【図４】本発明によるアクティビティー信号体系の望ましい一実施例を説明する図である。
【図５】本発明によるモビリティー情報を生成する過程の望ましい一実施例を示したフロー図である。
【図６】本発明によるモビリティー情報の望ましい一実施例を説明する図である。
【図７】本発明による指数情報生成及び管理制御信号を生成する過程の望ましい一実施例を示したフロー図である。
【発明を実施するための形態】
【００２６】
図１は、本発明の望ましい一実施例による二元化されたパラメータを用いた保護客体管理システム１０００（以下、「管理システム」と称する）及び関連構成を全般的に示した図である。
【００２７】
図１に示されたように、本発明の管理システム１０００は、宅内に備えられる複数の感知センサ２００−１、２００−２、２００−ｎ、及び宅内に備えられ得るモニタリング装置１００で構成される。
【００２８】
前記モニタリング装置１００は、ゲートウェイ、通信ネットワーク５などを通じて本発明のサービスサーバ４００と通信可能に連結することができる。後述するように、本発明のモニタリング装置１００で行われる幾つかのプロセシングなどは物理的構成に制限されず具現できるため、複数のモニタリング装置１００と通信可能に連結される本発明のサービスサーバ４００でも具現できることは勿論である。
【００２９】
また、本発明のモニタリング装置１００又はサービスサーバ４００は、宅内で感知された信号体系の持続的なモニタリングと統計的演算などを通じて、現時点で特定の危険要因が感知されるか又は注意を要する状況が発生した場合、保護客体または保護客体の保護者端末３００−１、３００−ｎに呼連結又は文字メッセージ発送などが自動的に行われるように構成でき、警察署、消防署、医療機関などの機関サーバ５００とも通信可能に連結されて必要な情報などを共有可能に構成することができる。
【００３０】
前記通信ネットワーク５は、本発明のモニタリング装置１００、サービスサーバ４００、機関サーバ５００、保護者端末３００の間でデータ通信を行う通信網であって、データ伝送が可能であれば、有線、無線、有無線結合形態などを区分せず、ＬＡＮ、ＣＤＭＡ、ＷＣＤＭＡ（登録商標）、ＬＴＥ、ＷｉＦｉなど多様なプロトコルと方式で具現できることは勿論である。また、宅内に設けられる複数の感知センサ２００とモニタリング装置１００との間の通信は、電力消耗、伝送データの大きさ、通信範囲などを考慮してジグビー通信で具現することが望ましい。
【００３１】
以下、添付された図面などを参照して本発明による管理システム１０００の具体的な構成とプロセシングについて詳しく説明する。
【００３２】
図２に示されたように、本発明の管理システム１０００は、複数の感知センサ２００及びモニタリング装置１００で構成され、前記感知センサ２００はセンサ２１０、制御モジュール２２０及び通信モジュール２３０を含み、モニタリング装置１００は受信部１１０、位置情報保存部１２０、データ生成部１３０、基準指数生成部１４０、制御管理部１５０、Ｉ／Ｏ部１６０を含むことができる。
【００３３】
本発明の詳細な説明に先立って、図２に示された本発明の感知センサ２００及びモニタリング装置１００の各構成要素は、物理的に区分される構成要素ではなく、論理的に区分される構成要素として理解されねばならない。
【００３４】
すなわち、それぞれの構成は本発明の技術思想を実現するための論理的な構成要素に該当するため、それぞれの構成要素が統合または分離して構成されても、本発明の論理構成が行う機能が実現できれば、本発明の範囲内であると解釈されねばならず、同一または類似の機能を果たす構成要素であれば、その名称の一致如何とは関係なく本発明の範囲に属すると解釈すべきであることは勿論である。
【００３５】
まず、図２および図３を参照して本発明の感知センサ２００についての詳細な構成とプロセシングを説明する。
【００３６】
本発明の感知センサ２００は、感知領域内の保護客体をセンシングするセンサ２１０、及びセンサ２１０から受信した信号を設定された伝送周期とプロトコルなどによってデータ加工し、通信モジュール２３０を制御して生成された信号を本発明のモニタリング装置１００に伝送する制御モジュール２２０を含む。
【００３７】
本発明の感知センサ２００は、隔壁によって独立した独立空間毎に設けられる。ここで、隔壁とは、内部の信号を外部に伝送させない物理的遮断体を意味し、宅内に感知センサ２００が設けられる場合、部屋１、部屋２、居間、トイレなどのように物理的空間を区切る壁がこれに該当し得る。
【００３８】
本発明はこのように各独立空間毎に感知センサ２００が設けられることを前提にするが、信号感知の効率性及び移動距離情報生成のための位置情報の精密性などを高めるため、１つの独立空間内に複数の感知センサ２００を設けることもでき、各独立空間内に設けられる感知センサ２００の個数は制限されない。
【００３９】
前記センサ２１０は、赤外線熱感知、赤外線反射波長の変化感知、ＵＷＢ、可視光線などを用いた多様なセンサで具現できるが、設けられる環境が主に室内であるため、照明などによる光との干渉などを効果的に解消し、また、自ら熱を発散する人体が主な保護客体であり、後述するように温度差及び速度差を効果的に感知するため、赤外線反射波長の変化とその変化量を感知できる赤外線センサで具現することがより望ましい。
【００４０】
本発明の感知センサ２００は、可変的に設定される第１基準周期毎に感知領域の保護客体を感知する（Ｓ３１０）。保護客体の動きのうち有効な動き、すなわち、保護客体の活動又は挙動特性として見なせる動きのみを感知して、後述する本発明の多様な後続プロセシングの基礎データ（Ｒａｗ Ｄａｔｅ）になる感知データ自体の信頼性は勿論、後続する他のプロセシングの精密性がさらに向上するように構成される。
【００４１】
そのため、本発明では、下記数式で定義するすべての条件が満たされた場合に限って有効な動きが発生したと感知するように設計する。理解と説明の便宜上、本発明の説明ではこのような「有効な動きの発生」を「活性化イベント」と称し、下記数式で定義されるすべての条件が満たされない場合、すなわち、「有効ではない動きの発生」を「非活性化イベント」と称する。
【００４２】
【数１】
0006333336.tif 000002
【００４３】
数式において、△Ｔは感知領域で感知される温度差、△Ｔｒは可変的に設定される基準温度差情報、Ｖは感知領域で感知される速度情報、Ｖｒは可変的に設定される基準速度情報である。
【００４４】
このように感知領域で感知される温度差情報が基準温度差情報以上であるか否か及び感知される速度情報が基準速度情報以上であるか否かを判断し（Ｓ３２０）、２つの条件が満たされる場合に限って活性化イベントを示す信号を生成し（Ｓ３３０）、２つの条件のうち１つでも満たされない場合は非活性化イベントを示す信号（Ｓ３４０）を生成する。
【００４５】
このように本発明の感知センサ２００はサンプリング周期毎に活性化イベントと非活性化イベントとを区分して示す信号体系を生成するが（Ｓ３５０）、本発明ではこのような信号体系をアクティビティー信号（Ａｃｔｉｖｉｔｙ Ｓｉｇｎａｌ）と称して説明する。
【００４６】
図４は、上述したアクティビティー信号が生成される一実施例を説明する図である。
【００４７】
図４に示されたように、ｔ１、ｔ４、ｔ６、ｔ７、ｔ９では上述した２つの条件を全て満たすことができなかったため、非活性化イベントに該当する信号体系が生成され、ｔ２、ｔ３、ｔ５、ｔ８では２つ条件全てを満たしたため、活性化イベントに該当する信号体系が生成される。図４の△ｔは第１基準周期に該当する。
【００４８】
活性化及び非活性化イベントに該当する信号体系は「１」と「０」のデータ信号が代表的であるが、各イベントを区分可能な信号体系であれば、多様な形態の信号体系を用いることができる。
【００４９】
このような方法で本発明の感知センサ２００は、保護客体感知に対するアクティビティー信号を設定された第２基準周期に亘り第１基準周期毎に生成し、第２基準周期が経過すれば（Ｓ３６０）、生成した一連のアクティビティー信号体系を自分のＩＤ情報などとともに本発明のモニタリング装置１００に伝送する（Ｓ３７０）。
【００５０】
特定の終了条件（人為的な終了信号、電源オフなど）が満たされない限り（Ｓ３８０）、上記過程は循環的に繰り返される。
【００５１】
以下、図５ないし図７を参照して本発明のモニタリング装置１００についての詳細な構成とプロセシングを説明する。
【００５２】
図５は、本発明のモニタリング装置１００又は本発明のサービスサーバ４００で行われるモビリティー情報（Ｍｏｂｉｌｉｔｙ Ｉｎｆｏｒｍａｔｉｏｎ）生成の望ましい一実施例を示したフロー図である。
【００５３】
本発明によるモニタリング装置１００の受信部１１０は、宅内に設けられた複数の感知センサ２００それぞれから自分のＩＤ情報と前記アクティビティー信号を第２基準周期毎に受信する（Ｓ５１０）。
【００５４】
アクティビティー信号が受信されれば、本発明のデータ生成部１３０は受信した信号をパーシングして信号内のＩＤ情報、非活性化イベントを示す信号、活性化イベントを示す信号体系などを区分する（Ｓ５２０）。
【００５５】
信号体系のパーシングが完了すれば、本発明のデータ生成部１３０は、これら活性化イベントを示す信号と非活性化イベントを示す信号との相互対応如何を判断し、このようなアクティビティー信号の対応如何を通じて保護客体が一独立空間から他の独立空間に移動した移動時間情報が含まれた情報であるモビリティー情報を生成する（Ｓ５４０）。
【００５６】
このように本発明はアクティビティー信号体系の分析を通じて一独立空間から他の独立空間に保護客体が移動したことを確認できる場合に限って保護客体が有効に移動したと見なすことで、保護客体に対する挙動特性を示す情報を有効に生成するように構成される。説明と理解の便宜上、このように生成される本発明の情報を 「モビリティー情報」と称する。
【００５７】
上述したように本発明は、保護客体の有効な動きが発生したことを示す「アクティビティー信号」、及び該「アクティビティー信号」に基づいて生成され、有効な移動が発生したことを示す「モビリティー情報」を２次にわたって生成することで、より精密で有効な保護客体の挙動特性に対する指標を生成することができる。
【００５８】
図６は、本発明によるモビリティー情報の望ましい一実施例を説明する図である。
【００５９】
図６では、４つの感知センサ２００からアクティビティー信号が受信されることを例示している。図６に示されたように、ｔ１時点でＳｅｎｓｏｒ１（感知センサ１）では活性化イベントに該当する信号が非活性化イベントに該当する信号に変更され、同一時点であるｔ１でＳｅｎｓｏｒ２（感知センサ２）では非活性化イベントに該当する信号が活性化イベントに該当する信号に変更される（Ｓ５３０）。
【００６０】
このように活性化イベントと非活性化イベントとが変更される時点を比べることで、保護客体が１つの独立空間から他の独立空間に移動した正確な時間情報を生成できるため、本発明のデータ生成部１３０は、図６に例示したｔ１、ｔ２、ｔ３及びｔ４の時間情報、すなわち、保護客体が空間を移動した時間情報を含むモビリティー情報を生成する（Ｓ５４０）。モビリティー情報生成の過程も特定の終了条件が満たされなければ（Ｓ５５０）、循環的に繰り返されるように構成される。
【００６１】
本発明によるモニタリング装置１００の位置情報保存部１２０には前記複数の感知センサ２００の位置情報が保存される。活性化イベント信号から非活性化イベント信号に変化する感知センサ２００及び非活性化イベント信号から活性化イベント信号に変化する感知センサ２００のそれぞれのＩＤ情報またはそれに対応する位置情報を用いれば、保護客体が移動した方向に対する情報も生成することができる。
【００６２】
さらに、次のモビリティー情報が生成される時間及び関連情報を分析すれば、特定時間で保護客体が移動した移動距離に対する情報も生成することができる。
【００６３】
宅内独立空間の間の移動はドアを通って行われるため、第１ドア（部屋と居間との間）と第２ドア（居間とトイレとの間）との距離情報又は位置情報を本発明の位置情報保存部１２０などに予めデータベース化して保存し、モビリティー情報の確認を通じてどの空間からどの空間への移動があったかが確認されれば、その移動距離を正確に抽出することができる。そのため、本発明の位置情報保存部１２０は、独立空間と独立空間との間の移動や出入りが行われるドアのような建築構造物または場所の位置情報であるポイント位置情報を保存することができる。
【００６４】
すなわち、本発明のデータ生成部１３０は、特定時間で活性化から非活性化に（または非活性化から活性化に）信号体系が変更された感知センサ２００のＩＤ情報、他の特定時間で活性化から非活性化に（または非活性化から活性化に）信号体系が変更された感知センサ２００のＩＤ情報、及び前記ポイント位置情報を用いて、保護客体の移動距離を正確に演算することができる。
【００６５】
また、第１空間（部屋）から第２空間（居間）への移動を示す第１モビリティー情報（Ｍ１）が生成された時間と第２空間（居間）から第３空間（トイレ）への移動を示す第２モビリティー情報（Ｍ２）が生成された時間との間の時間差が正確に演算できるため、上述した移動距離情報とともに演算することで、保護客体の正確な速度情報も演算することができる。このような方法を通じて本発明のモビリティー情報には、保護客体の正確な移動時間情報、移動距離情報、移動速度情報が書き込まれる。
【００６６】
図７は、本発明による指数情報生成及び管理制御信号を生成する過程の望ましい一実施例を示したフロー図である。
【００６７】
図７に示されたように、本発明の基準指数生成部１４０は、現段階（ｎ番目、ｎは２以上の自然数）モビリティー情報が生成されれば、現段階のモビリティー情報が生成される以前に生成されたモビリティー情報（移動時間情報、移動距離情報、移動速度情報など）（１番目ないしｎ−１番目まで生成されたモビリティー情報）と共に統計的演算を行って保護客体の挙動特性や活動に対する基準指数情報を繰り返して更新して生成する（Ｓ７１０）。
【００６８】
前記基準指数情報は、保護客体の現時点の挙動特性や活動程度の特異性又は離隔度などを判断する基準になる情報であって、このように過去、現在及び以後生成されるモビリティー情報を持続的に反映して更新することでより実質的な基準情報として活用できるように構成する。
【００６９】
基準指数情報生成のための統計的演算は、通常、全体モビリティー情報に対する平均演算になり得るが、保護客体の年齢、性別、病歴、症状の程度などによって加重値平均などを適用することが望ましい。その他の統計的方法と演算などが適用できることは勿論である。
【００７０】
本発明の制御管理部１５０は、現時点のモビリティー情報または現時点を基準に以前幾つかの段階のモビリティー情報の統計的データを用いて現在指数情報を生成し（Ｓ７２０）、上述した基準指数情報と現在指数情報とを相互比べてその差を演算する（Ｓ７３０）。
【００７１】
現在指数情報は、現時点で生成されたモビリティー情報のみで構成することもでき、最近の動き又は移動を反映するため、現時点を基準に以前の１以上ｍ（ｍは２以上の自然数）番目まで生成されたモビリティー情報に関する統計データを用いて生成するように構成することもできる。
【００７２】
このような演算を通じて、現在の保護客体の行動パターンや傾向が基準になる行動パターンや傾向と比べて如何なる特性を示すかが確認でき、現在指数情報と基準指数情報との差又は離隔の程度が基準離隔度より小さい場合は（Ｓ７４０）、普段と比べて有意味な程度の大きい行動パターンの変化がないと見なすことができる。
【００７３】
一方、現在指数情報と基準指数情報とを対比演算した結果の値が基準離隔度より大きい場合は（Ｓ７４０）、その演算結果に応じて差等的な管理制御信号を生成する（Ｓ７５０）。
【００７４】
このように差等的な管理制御信号は多様な方法で活用できるが、一活用例として、異常兆候、注意、警告、応急などのように管理制御信号を分類し、各分類基準に応じた案内メッセージなどを保護客体に該当する者または保護者端末３００に発送するか、または、電話を通じて該当内容を伝達するように構成することができる。
【００７５】
また、本発明は、パーキンソン病患者へのより正確かつ精密な投薬量又は投薬周期を具現できるように、内部に保管された医薬品が外部に排出される機能が具現されたディスペンサ６００と連動して構成することができる。
【００７６】
前記ディスペンサ６００は、内部に医薬品を保管し、ユーザの操作などによって排出口が開けられ、保管された医薬品が外部に排出される装置である。
【００７７】
このようなディスペンサ６００の内部に電子装置などを取り付け、外部信号によって排出口が開閉される周期、時間または排出される医薬品の量が調節されるように構成した後、前記本発明の制御管理部１５０が離隔程度に応じて差等的な管理制御信号を前記ディスペンサ６００に伝送し、受信した管理制御信号によってディスペンサ６００の排出口の開閉周期、時間などを制御して、患者の現在挙動特性又は状態に応じた正確な量の医薬品が提供されるように誘導する。
【００７８】
また、視聴覚媒体であるテレビ、オーディオなどの電子機器とも連動できるように、該当電子機器に必要な部品などを取り付け、本発明によるモニタリング装置１００の制御管理部１５０が管理制御信号を伝送すれば、伝送された管理制御信号によって該当電子機器がオンオフされるか又は音量を高めるなどの制御が行われるように構成する。
【００７９】
実施形態によっては物理的マッサージ機、電気刺激機などのような保護客体（患者など）が使用する電機電子運動機器とも連動させ、保護客体が運動する場合、保護客体が認知できない状態で運動の強度などが調整されるように構成することもできる。
【００８０】
上述したモニタリング装置１００は、感知センサ２００から受信したデータの保存又は組合せの機能のみを果たし、受信したデータをサービスサーバ４００に伝送して、上述したモニタリング装置１００の演算、対比、判断などのプロセシングはサービスサーバ４００で行い、その結果が再びモニタリング装置１００にフィードバックされるように構成することもできる。
【符号の説明】
【００８１】
１０００    保護客体管理システム
１００    モニタリング装置
１１０    受信部
１２０    位置情報保存部
１３０    データ生成部
１４０    基準指数生成部
１５０    制御管理部
１６０    Ｉ／Ｏ部
２００    感知センサ
２１０    センサ
２２０    制御モジュール
２３０    通信モジュール
３００    保護者（患者）端末
４００    サービスサーバ
５００    機関サーバ
【図１】
0006333336.tif 000003
【図２】
0006333336.tif 000004
【図３】
0006333336.tif 000005
【図４】
0006333336.tif 000006
【図５】
0006333336.tif 000007
【図６】
0006333336.tif 000008
【図７】
0006333336.tif 000009